(57)【特許請求の範囲】
【請求項１】
被写体光が透過する矩形の表示板と、
前記表示板に設けられた複数の反射部と、
前記表示板の長辺側及び短辺側において、前記複数の反射部のそれぞれに対応して光を照射する複数の照射部と、を備え、
前記複数の反射部はそれぞれ、対応する照射部から照射された光をファインダー側に反射する反射面を有し、
前記複数の反射部は、前記表示板の前記長辺または前記短辺に前記反射面が平行な第１反射部、及び、前記表示板の前記長辺または前記短辺に前記反射面が非平行な第２反射部を有し、
前記第２反射部に光を照射する照射部は、前記第２反射部の反射面が延設されている方向に直交する方向に光が入射されるよう発光し、
前記照射部が照射する光が前記複数の反射部の内の対応する反射部に到達するまでの光路上に配置される反射部が有する反射面は、前記光路での光の進行方向に平行に配置されていること
を特徴とするカメラ。
【請求項２】
被写体光が透過する矩形の表示板と、
前記表示板に設けられた複数の反射部と、
前記表示板の長辺側及び短辺側において、前記複数の反射部のそれぞれに対応して光を照射する複数の照射部と、を備え、
前記複数の反射部はそれぞれ、対応する照射部から照射された光をファインダー側に反射する複数の反射面を有し、
前記複数の反射部は、前記表示板の前記長辺または前記短辺に前記反射面が平行な第１反射部、及び、前記表示板の前記長辺または前記短辺に前記反射面が非平行な第２反射部を有し、
前記第２反射部に光を照射する照射部は、前記第２反射部の反射面が延設されている方向に直交する方向に光が入射されるよう発光し、
前記複数の反射面のそれぞれの両端側には端面が形成され、
前記端面の少なくとも一つは、他の端面と平行でないこと
を特徴とするカメラ。
【請求項３】
請求項１または２に記載のカメラであって、
前記複数の反射部は、前記表示板において、前記表示板の中心で交差する前記長辺及び前記短辺と平行な２直線に対して対称となるように配置されていること
を特徴とするカメラ。
【請求項４】
請求項１〜３のいずれか１項に記載のカメラであって、
前記複数の反射部は、前記表示板の長辺に沿って配置されている反射部の組を少なくとも一つ含み、該反射部の組のうち、最も多くの反射部が配置されている組に属する全ての反射部には、長辺側に配置された前記照射部から光が入射されること
を特徴とするカメラ。
【請求項５】
請求項１〜４のいずれか１項に記載のカメラであって、
前記反射部のうちの、前記表示板の中心で交差する、前記長辺及び前記短辺と平行な２直線上に配置される前記反射部の前記反射面は、前記長辺または前記短辺に平行であること
を特徴とするカメラ。
【請求項６】
請求項２に記載のカメラであって、
前記複数の反射面のそれぞれの端面は、前記反射面と直交する方向の中心を通り且つ前記反射面と平行な方向の直線を中心として対称となるよう向いていること
を特徴とするカメラ。
【請求項７】
請求項２または６に記載のカメラであって、
前記複数の反射面は４つの反射面であること
を特徴とするカメラ。
【発明の詳細な説明】
【技術分野】
【０００１】
本発明は、スーパーインポーズ表示装置を備えるカメラに関するものである。
【背景技術】
【０００２】
カメラのファインダーにおいて観察される像に、ＡＦポイント等を重ねて表示するスーパーインポーズ表示装置は、矩形の表示板と、表示板に設けられた反射部と、その反射部に光を照射する照射部を有する。従来、スーパーインポーズ表示装置は、表示板の長辺方向又は短辺方向のいずれかより光を照射している（例えば、特許文献１参照）。
【先行技術文献】
【特許文献】
【０００３】
【特許文献１】特開２００８−２６８１８号公報
【発明の概要】
【発明が解決しようとする課題】
【０００４】
しかし、スーパーインポーズ表示装置の一辺に照射部を備える場合、多点照射しようとすると、反射部分が他の照射光の影響を受け、光ってしまうため、照射数は制限される。
【０００５】
本発明の課題は、多点照射が可能なスーパーインポーズ表示装置を備えるカメラを提供することである。
【課題を解決するための手段】
【０００７】
請求項１に記載のカメラは、被写体光が透過する矩形の表示板と、前記表示板に設けられた複数の反射部と、前記表示板の長辺側及び短辺側において、前記複数の反射部のそれぞれに対応して光を照射する複数の照射部と、を備え、前記複数の反射部はそれぞれ、対応する照射部から照射された光をファインダー側に反射する反射面を有し、前記複数の反射部は、前記表示板の前記長辺または前記短辺に前記反射面が平行な第１反射部、及び、前記表示板の前記長辺または前記短辺に前記反射面が非平行な第２反射部を有し、前記第２反射部に光を照射する照射部は、前記第２反射部の反射面が延設されている方向に直交する方向に光が入射されるよう発光し、前記照射部が照射する光が前記複数の反射部の内の対応する反射部に到達するまでの光路上に配置される反射部が有する反射面は、前記光路での光の進行方向に平行に配置されていることを特徴とする。
請求項２に記載のカメラは、被写体光が透過する矩形の表示板と、前記表示板に設けられた複数の反射部と、前記表示板の長辺側及び短辺側において、前記複数の反射部のそれぞれに対応して光を照射する複数の照射部と、を備え、前記複数の反射部はそれぞれ、対応する照射部から照射された光をファインダー側に反射する複数の反射面を有し、前記複数の反射部は、前記表示板の前記長辺または前記短辺に前記反射面が平行な第１反射部、及び、前記表示板の前記長辺または前記短辺に前記反射面が非平行な第２反射部を有し、前記第２反射部に光を照射する照射部は、前記第２反射部の反射面が延設されている方向に直交する方向に光が入射されるよう発光し、前記複数の反射面のそれぞれの両端側には端面が形成され、前記端面の少なくとも一つは、他の端面と平行でないことを特徴とする。
【発明の効果】
【０００８】
本発明によれば、多点照射が可能なスーパーインポーズ表示装置を備えるカメラを提供することができる。
【図面の簡単な説明】
【０００９】
【図１】本発明の一実施形態を適用したカメラの概念構成図である。
【図２】ファインダー機構におけるスーパーインポーズ表示装置の平面図である。
【図３】中央縦列における中央指標の拡大平面概念図である。
【図４】図３のＡ−Ａ線に対応する中央指標の断面図である。
【図５】左中間縦列における中間上側指標の拡大平面図である。
【図６】右中間縦列における中間上側指標の拡大平面図である。
【図７】中央縦列における中央上側指標の拡大平面図である。
【図８】図７のＢ−Ｂ線に対応する中央上側指標の断面図である。
【図９】図３及び図４の変形形態を示す図である。
【発明を実施するための形態】
【００１０】
以下、図面等を参照して、本発明の実施形態について説明する。
図１は、本発明の一実施形態を適用したカメラ１の概念構成図である。図２は、ファインダー機構３０におけるスーパーインポーズ表示装置１００の平面図である。
【００１１】
なお、以下に示す各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、上側に向かう方向をＹ軸プラス方向、被写体に向かう方向をＺ軸プラス方向とする。また、被写体側（Ｚ軸プラス側）を前面側、撮影者側（Ｚ軸マイナス側）を背面側とも称する。
【００１２】
図１に示すカメラ１は、カメラボディ１０と、当該カメラボディ１０に着脱可能な撮影レンズ２０と、を備えたデジタル一眼レフカメラである。なお、本発明は、デジタル一眼レフカメラに限定されるものではなく、たとえばフィルムを用いるスチル一眼レフカメラ等にも適用可能である。
【００１３】
撮影レンズ２０は、結像光学系を構成すると共にオートフォーカス駆動可能なレンズ群２１を備えており、入射した被写体光を後述するカメラボディ１０の撮像部における撮像素子に結像させる。
【００１４】
カメラボディ１０は、撮像部１１と、クイックリターンミラー１２と、ファインダー機構３０と、オートフォーカス制御を行う合焦制御機構４０と、を備えている。
撮像部１１は、光学的な被写体像を電気信号に変換する撮像素子を備えている。
クイックリターンミラー１２は、撮影レンズ２０から撮像部１１に至る被写体光の光路中に介在する作用位置（図１中実線で示す）と、光路中から退避した不作用位置（二点鎖線で示す）と、の間を揺動可能に配設されている。そして、クイックリターンミラー１２は、作用位置において、被写体光を上方（Ｙ軸プラス側）に反射屈曲させて、ファインダー機構３０に向けて導く。
【００１５】
ファインダー機構３０は、撮影レンズ２０による被写体像が結像する焦点板３１、被写体像に合焦位置等の情報を重ねて表示するスーパーインポーズ表示装置１００、ペンタミラー３２、接眼レンズ３３等を備えて構成されている。
【００１６】
スーパーインポーズ表示装置１００は、焦点板３１の上側に配設された表示板１１０を備えており、被写体像に各種マーク、文字、数字など（本実施形態ではＡＦエリア指標：図２中２００番台の符号で示す。以下、ＡＦエリア指標２００として総称する）を重畳して表示する。このスーパーインポーズ表示装置１００は、後述する合焦制御機構４０における合焦制御部４３から入力される信号に基づいて、焦点調節領域に対応するＡＦエリア指標２００を発光させる。なお、このスーパーインポーズ表示装置１００の構成については、後に詳述する。
【００１７】
ペンタミラー３２および接眼レンズ３３は、レリーズ前において図１中実線で示す作用位置のクイックリターンミラー１２に導かれて焦点板３１に結像した撮影レンズ２０による被写体像を、正立像として撮影者が観察できるように構成されている。
スーパーインポーズ表示装置１００は、被写体像にＡＦエリア指標２００の表示を重ねる。これにより、撮影者は、被写体像にＡＦエリア指標２００が重畳された画像を確認できる。
【００１８】
合焦制御機構４０は、クイックリターンミラー１２の背面に配設されたサブミラー４１と、位相差式ＡＦセンサモジュール４２と、合焦制御部４３と、を備えている。
サブミラー４１は、クイックリターンミラー１２の半透過領域を透過した被写体光の一部を反射させて位相差式ＡＦセンサモジュール４２へと導く。
位相差式ＡＦセンサモジュール４２は、たとえば、焦点検出光束を一対の焦点検出用光像に分割する焦点検出光学系と、分割された一対の光像が入射し、それに応じた焦点検出信号を出力する一対のＣＣＤラインセンサとを備える。ＣＣＤラインセンサから出力される焦点検出信号は、合焦制御部４３に入力される。この位相差式ＡＦセンサモジュールによる焦点検出領域は、撮影画角内に所定の配置で複数配設されており、それらの何れを適用するかは、撮影者の操作によって、または、自動で選択されるようになっている。
【００１９】
合焦制御部４３は、位相差式ＡＦセンサモジュール４２におけるＣＣＤラインセンサから焦点検出信号が入力され、選択された焦点検出領域に対応する焦点検出信号に基づいて、デフォーカス量などの焦点調節状態の演算を行う。そして、合焦制御部４３は、焦点調節状態の演算結果に基づいて、撮影レンズ２０を制御駆動すると共に、焦点調節の対象となる焦点検出領域を示す信号をスーパーインポーズ表示装置１００へ出力する。
【００２０】
そして、上記のように構成されたカメラ１は、下記のように作用する。
カメラ１は、たとえば、図示しないレリーズスイッチの半押し操作等によって合焦が指令されると、合焦制御機構４０の合焦制御部４３が、スーパーインポーズ表示装置１００に信号を出力して選択された焦点検出領域と対応するＡＦエリア指標２００を発光駆動させると共に、当該焦点検出領域において合焦するようにレンズ２を駆動する。これにより、ファインダー機構３０を介して焦点板３１に結像した被写体像を観察していた撮影者は、被写体像に重なって表示されたＡＦエリア指標２００の発光によって、合焦される焦点検出領域を確認できる。
【００２１】
その後、カメラ１は、図示しないレリーズスイッチの全押し操作等によって撮影が指令されると、クイックリターンミラー１２を揺動させて不作用位置とし、レンズ２によって結像された被写体光像を撮像部１１によって電気信号に変換し、これを画像情報としてカメラボディ１０が備える図示しないメモリに記録（すなわち撮影）する。
【００２２】
つぎに、前述した図２に加えて図３〜図８を参照し、ファインダー機構３０におけるスーパーインポーズ表示装置１００について詳細に説明する。
図３は、図２における中央縦列Ｃにおける中央指標２１１の拡大平面概念図である。図４は、図３のＡ−Ａ線に対応する中央指標２１１の断面図である。図５は、左中間縦列ＭＬにおける中間上側指標２２２Ｌの拡大平面図である。図６は、右中間縦列ＭＲにおける中間上側指標２２２Ｒの拡大平面図である。図７は、中央縦列Ｃにおける中央上側指標２１２の拡大平面図である。図８は、図７のＢ−Ｂ線に対応する中央上側指標２１２の断面図である。
【００２３】
図２に示すように、スーパーインポーズ表示装置１００は、表示板１１０と、発光装置１２０と、を備えている。発光装置１２０は、複数のＬＥＤ１２１（ａ〜ｋ）を備え、表示板１１０の長辺と短辺との二辺に配置されている。
【００２４】
表示板１１０は、焦点板３１と対応する矩形の平面形状の板状部材であって、焦点板３１に結像した被写体像光および発光装置１２０から出射された照明光が透過可能な透光性を有する素材（たとえばアクリル樹脂等）によって所定の厚さに形成されている。表示板１１０は、合焦制御機構４０（図１参照）における焦点検出領域と対応してそれぞれ設けられた複数（本実施形態では１１箇所）のＡＦエリア指標２００を備えている。なお、前述したように、個々のＡＦエリア指標２００には２００番台の符号を付してあるが、総称する場合にはＡＦエリア指標２００と称して説明する。
また、表示板１１０は、その発光装置１２０と対向する辺（図３における長辺と短辺）に、各ＡＦエリア指標２００と対応する導光レンズ部１１１を備えている。
【００２５】
１１箇所のＡＦエリア指標２００は、Ｚ軸と平行な５列の縦列上に配置されている。すなわち、表示板１１０の中心を通る縦中心軸（Ｚ軸と一致）上に設定された中央縦列Ｃと、この中央縦列Ｃの左右にそれぞれ所定間隔離れて位置する左中間縦列ＭＬおよび右中間縦列ＭＲと、さらにそれぞれの側方に所定間隔離れて位置する左側端列ＳＬおよび右側端列ＳＲである。
【００２６】
中央縦列Ｃは、表示板１１０の中心に位置する中央指標２１１と、その上下にそれぞれ所定間隔離間した中央上側指標２１２および中央下側指標２１３と、を備えている。
左中間縦列ＭＬおよび右中間縦列ＭＲは、それぞれ、表示板１１０の中心を通る横中心軸（Ｘ軸と一致）上に位置する中間中央指標２２１Ｌ，２２１Ｒと、その上下にそれぞれ所定間隔離間して位置する中間上側指標２２２Ｌ，２２２Ｒおよび中間下側指標２２３Ｌ，２２３Ｒと、を備えている。中間中央指標２２１から中間上側指標２２２または中間下側指標２２３までの上下方向（Ｚ軸方向）における距離は、中央縦列Ｃにおける中央指標２１１から中央上側指標２１２または中央下側指標２１３までの距離より小さく設定されている。
左側端列ＳＬおよび右側端列ＳＲは、それぞれ横中心軸上に位置する側端中央指標２３０Ｌ，２３０Ｒを備えている。
【００２７】
各ＡＦエリア指標２００の配置は、表示板１１０の中心で交差する長辺及び短辺と平行な２直線に対して対称となるように配置されている。
上記各ＡＦエリア指標２００の配置は、表示板１１０上における、前述した合焦制御機構４０における焦点検出領域と対応している。
【００２８】
各ＡＦエリア指標２００は、発光装置１２０から入射する照明光を、ペンタミラー３２（図１参照）向けて（Ｙ軸プラス方向に）反射させる。これによって、観察者にはＡＦエリア指標２００が発光して見える。
【００２９】
すなわち、ＡＦエリア指標２００は、一例として中央指標２１１を平面図である図３およびそのＡ−Ａ線に対応する断面図である図４に示すように、表示板１１０の前面（Ｙ軸マイナス側の面）に複数の断面形状三角形の溝２０１が形成され、この溝２０１の一方の面が反射面２０２となっている。反射面２０２は、図４に示すように、表示板１１０の内部を通って溝２０１の延設方向と直交する方向に入射する照明光を、Ｙ軸プラス方向に反射屈折させてペンタミラー３２（図１参照）に導くように配置されている。以下、この溝２０１の延設方向と直交する方向に入射する照明光のＸ−Ｚ平面内における光路を入射光軸と呼ぶ。反射面２０２は、この入射光軸から外れた入射光をペンタミラー３２に向けて（Ｙ軸プラス側に）反射することはなく、そのような光が入射してもＡＦエリア指標２００は発光したようには見えないものとして説明する。
【００３０】
本実施形態におけるＡＦエリア指標２００は、４条の溝２０１（４面の反射面２０２）を備え、全体の平面形状が正方形に形成されている。ＡＦエリア指標２００は、入射した照明光をその全域で反射するわけではなく、反射面２０２が設けられている部分のみが証明光を反射するが、発光作用時には散乱光によって正方形の全域が発光しているように見える。なお、ＡＦエリア指標２００の全体形状や反射面２０２（溝２０１）の数は、この例に限らず適宜設定可能である。
【００３１】
導光レンズ部１１１は、表示板１１０における発光装置１２０と対向する各辺（すなわち図２における長辺および右側辺）に、後述する発光装置１２０のＬＥＤ１２１（ａ〜ｋ）とそれぞれ対応して設けられている。
導光レンズ部１１１は、表示板１１０の辺縁から平面形状略半円状に突出してシリンドリカルレンズを構成しており、後述する発光装置１２０におけるＬＥＤ１２１から拡散して出射する照明光を集光して略平行光線とするように設定されている。
【００３２】
発光装置１２０は、表示板１１０の図２における長辺に沿って配設されたＸ軸方向ユニット１２０Ｘと、表示板１１０の図２における右側の側辺に沿って配設されたＺ軸方向ユニット１２０Ｚと、により構成されている。
Ｘ軸方向ユニット１２０Ｘは、表示板１１０の中心を通るＸ軸と平行な横中心軸（Ｘ軸に一致する）上に位置するＡＦエリア指標２００を照明するＬＥＤ１２１（ａ〜ｉ）が、電気基板１２２Ｘに実装されている。
【００３３】
すなわち、ＬＥＤ１２１ａは中央縦列Ｃにおける中央指標２１１を、ＬＥＤ１２１ｂは右中間縦列ＭＲの中間中央指標２２１Ｒを、ＬＥＤ１２１ｃは右側端列ＳＲにおける側端中央指標２３０Ｒを、それぞれ照射するように設定されている。また、ＬＥＤ１２１ｄは左中間縦列ＭＬにおける中間中央指標２２１Ｌを、ＬＥＤ１２１ｅは左側端列ＳＬにおける側端中央指標２３０Ｌを、ＬＥＤ１２１ｆは左中間縦列ＭＬにおける中間上側指標２２２Ｌを、それぞれ照射するように設定されている。さらに、ＬＥＤ１２１ｇは右中間縦列ＭＲにおける２２３Ｒを、ＬＥＤ１２１ｈは右中間縦列ＭＲにおける２２２Ｒを、ＬＥＤ１２１ｉは左中間縦列ＭＬにおける中間下側指標２２３Ｌを、それぞれ照射するように設定されている。
【００３４】
ここで、これらの表示板１１０の中心を通るＸ軸と平行な横中心軸（Ｘ軸に一致する）上に位置する各ＡＦエリア指標２００（中央指標２１１、中間中央指標２２１Ｌ，２２１Ｒ、側端中央指標２３０Ｌ，２３０Ｒ）を照射する各ＬＥＤ１２１（ａ〜ｅ）は、それぞれ対応するＡＦエリア指標２００に向けてＺ軸と平行な光路で照明光を出射するように配設されている。従って、表示板１１０の中心を通る横中心軸上に位置する各ＡＦエリア指標２００（中央指標２１１、中間中央指標２２１Ｌ，２２１Ｒ、側端中央指標２３０Ｌ，２３０Ｒ）は、図３に示す中央指標２１１と同様に、その入射光軸をＺ軸と平行として形成されている。
【００３５】
一方、左中間縦列ＭＬにおける中間上側指標２２２Ｌおよび中間下側指標２２３Ｌと、右中間縦列ＭＲにおける中間上側指標２２２Ｒおよび中間下側指標２２３Ｒと、を照射するＬＥＤ１２１（ｆ〜ｉ）は、それぞれＺ軸に対して所定の斜めの光路で照明光を出射するように配設されている。つまり、表示板１１０の中心を通る縦中心軸上および横中心軸上に位置していない中間上側指標２２２Ｌ，２２２Ｒおよび中間下側指標２２３Ｌ，２２３Ｒには、斜めの光路で照明光が照射されるようになっている。
【００３６】
すなわち、Ｚ軸と平行な方向を０°とし、それから反時計回りを（＋）、時計回りを（−）と表して、中間上側指標２２２Ｌと中間下側指標２２３Ｒとを照射するＬＥＤ１２１ｆ，１２１ｇは、それぞれ角度−θ（例えば−３０°）を有する光路で照明光を出射するように配設されている。つまり、ＬＥＤ１２１ｆ，１２１ｇの照明光の光路は、図２において図中右上側から左下側に向かうように設定されている。このため、中間上側指標２２２Ｌと中間下側指標２２３Ｒとは、図５に一例として中間上側指標２２２Ｌの拡大平面図を示すように、その入射光軸がＺ軸に対して角度−θを成すように形成されている。
【００３７】
また、中間下側指標２２３Ｌと中間上側指標２２２Ｒとを照射するＬＥＤ１２１ｈ，１２１ｉは、角度θ（例えば３０°）を有する光路で、それぞれ照明光を出射するように配設されている。つまり、ＬＥＤ１２１ｈ，１２１ｉの照明光の光路は、図２において図中左上側から右下側に向かうように設定されている。このため、中間下側指標２２３Ｌと中間上側指標２２２Ｒとは、図６に一例として中間上側指標２２２Ｒの拡大平面図を示すように、その入射光軸がＺ軸に対して角度θを成すように形成されている。
【００３８】
Ｚ軸方向ユニット１２０Ｙは、中央縦列Ｃにおける中央上側指標２１２と中央下側指標２１３とを照射するＬＥＤ１２１ｊ，１２１ｋが、電気基板１２２Ｙに実装されている。
ＬＥＤ１２１ｊ，１２１ｋは、中央上側指標２１２または中央下側指標２１３に向けてそれぞれＸ軸と平行な光路で照明光を出射するように配設されている。従って、中央縦列Ｃにおける中央上側指標２１２と中央下側指標２１３とは、図７に一例として中央上側指標２１２の拡大平面図を示すように、その入射光軸をＸ軸と平行として形成されている。
【００３９】
上記のような発光装置１２０の構成およびＡＦエリア指標２００の配置では、発光装置１２０のＸ軸方向ユニット１２０Ｘが備えるＬＥＤ１２１ａから射出されて中央指標２１１を照射する照明光は、そのＺ軸方向プラス側にある中央上側指標２１２をＺ軸方向に通過する。
【００４０】
前述したように、中央上側指標２１２の入射光軸はＸ軸方向であって、中央指標２１１を照射するＺ軸方向の照明光を反射することはない。しかし、これは、図７のＢ−Ｂ線に対応する断面図である図８（ｂ）に示すように、中央上側指標２１２における溝２０１の延設方向の端面２０３が、表示板１１０の板面に対して直角に形成されていることが条件である。実際には、図８（ａ）に示すように、中央上側指標２１２における溝２０１の延設方向の端面２０３は、成形の際の抜き勾配等によって表示板１１０の板面に対して直角から角度を有し、また、角部がＲ状となる。その結果、図中二点鎖線で示すように、端面２０３や角部で乱反射された光がＹ軸方向に漏れて迷光となる（光ったように見える）虞がある。
【００４１】
このため、図７に示すように、中央上側指標２１２における溝２０１の延設方向の端面２０３は、Ｘ軸に対して所定角度α傾斜して形成されている。これにより、仮に端面２０３がＺ軸方向の照明光を反射してもＹ軸方向には出射することはなく、迷光を抑制できる。
【００４２】
図７に示す実施形態では、端面２０３の傾斜方向は、中央上側指標２１２の中心を挟んで前後左右対称に設定されている。すなわち、図７中右側２条の溝２０１の上側の端面は２０３と、左側２条の溝２０１の下側の端面は２０３とは、それぞれＸ軸に対して時計回りに所定角度−α傾斜し、左側２条の溝２０１の上側の端面は２０３と、右側２条の溝２０１の下側の端面は２０３とは、それぞれＸ軸に対して反時計回りに所定角度α傾斜して形成されている。これにより、全体としての形状を見栄え良く整えることができる。
【００４３】
端面２０３の傾斜角度αは、端面２０３による反射光が近隣のＡＦエリア指標２００に達して悪影響を与えることのないように設定すれば良いが、１５°〜３０°程度が好ましい。また、個々の溝２０１における端面は２０３の傾斜角度αが異なる設定としても良い。
なお、中央下側指標２１３には、中央指標２１１を照射する照明光が当該中央指標２１１を通過して到達するため、この中央下側指標２１３も中央上側指標２１２と同様な形状とする。
【００４４】
また、Ｘ軸方向ユニット１２０Ｘにおける１２１ｄから射出されて中間中央指標２２１Ｌを照射する照明光は、中間上側指標２２２Ｌを通過する。さらに、Ｘ軸方向ユニット１２０ＸにおけるＬＥＤ１２１ｂから射出されて中間中央指標２２１Ｒを照射する照明光は、中間上側指標２２２Ｒを通過する。前述したように、これら中間上側指標２２２Ｌ，２２２Ｒは、入射光軸がＸ軸に対して角度θ傾斜しており、通過する照明光をＹ軸方向に反射させることはない。
【００４５】
そして、上記のように構成されたスーパーインポーズ表示装置１００は、発光装置１２０が備えるＬＥＤ１２１（ａ〜ｋ）を選択的に駆動して照明光を出射することで、任意のＡＦエリア指標２００を照明して発光させることができる。
たとえば、画面上の中央が焦点検出領域である場合、ＬＥＤ１２１ａを発光させて照射光を中央指標２１１に入射させ、中央指標２１１で観察者側（Ｙ軸プラス側）に向けて反射させる。これにより、観察者に対して、被写体像に重なった中央指標２１１が発光したように見せ、画面上の中央が焦点検出領域であることを示す。
【００４６】
以上、本実施形態によると、以下の効果を有する。
（１）スーパーインポーズ表示装置１００は、表示板１１０における二辺に沿って配設された発光装置１２０（Ｘ軸方向ユニット１２０ＸおよびＺ軸方向ユニット１２０Ｚ）によって直交する二方向からＡＦエリア指標２００を照明するように構成されている。これにより、多数のＡＦエリア指標２００を複雑に配置したスーパーインポーズ表示装置１００を、簡単且つ低コストに構成できる。
【００４７】
（２）スーパーインポーズ表示装置１００は、表示板１１０に配設された中間上側指標２２２Ｌ，２２２Ｒおよび中間下側指標２２３Ｌ，２２３Ｒへの照射光の光路が、それぞれＺ軸に対して斜めに設定されている。これにより、他のＡＦエリア指標２００への照明光の光路との重なりを防ぐことができ、多くのＡＦエリア指標２００が配設可能となっている。
【００４８】
（３）スーパーインポーズ表示装置１００は、中間上側指標２２２Ｌと中間下側指標２２３Ｒとを照射する光路と、中間下側指標２２３Ｌと中間上側指標２２２Ｒとを照射する光路とは、縦中心軸を挟んで対称に傾斜している。その結果、中間上側指標２２２Ｌ，２２２Ｒと中間下側指標２２３Ｌ，２２３Ｒとは横中心軸を挟んで対称となっている。また、中間上側指標２２２Ｌと中間上側指標２２２Ｒとが縦中心軸を挟んで対称となると共に、中間下側指標２２３Ｌと中間下側指標２２３Ｒとが縦中心軸を挟んで対称となっている。これにより、整然として違和感がなく見た目の良い表示が可能となっている。
【００４９】
（４）スーパーインポーズ表示装置１００は、中央指標２１１を照射する照明光が通過する中央上側指標２１２は、その溝２０１の延設方向における端面２０３が傾斜して形成されている。これにより、端面２０３で反射して生ずる迷光を抑制できる。
また、中央上側指標２１２における溝２０１の端面２０３の傾斜方向は、当該中央上側指標２１２の中心を挟んで前後左右対称に設定されている。これより、全体としての形状を整えて見栄え良くすることができる。
【００５０】
（変形形態）
以上、説明した実施形態に限定されることなく、以下に示すような種々の変形や変更が可能であり、それらも本発明の範囲内である。
（１）上記実施形態では、図４に示すように、スーパーインポーズ表示装置１００におけるＡＦエリア指標２００として表示板１１０の前面（Ｙ軸マイナス側の面）に複数の断面形状三角形の溝２０１が形成されている例について説明したが、上記実施形態に限定されない。図９は変形形態を示す図であり、図９において左図は右図のＣ−Ｃ断面である。図示するようにＡＦエリア指標は、断面三角形状の凹部（Ａ１，Ａ２）と凸部（Ｂ１，Ｂ２）とで構成してもよい。
（２）また、ＡＦエリア指標２００の数、配置および照射光の角度を含む光路設定は、上記実施形態に限らず、適宜設定可能である。
なお、実施形態及び変形形態は、適宜組み合わせて用いることもできるが、詳細な説明は省略する。また、本発明は以上説明した実施形態によって限定されることはない。
【符号の説明】
【００５１】
１：カメラ、１０：カメラボディ、１１：撮像部、２０：撮影レンズ、３０：ファインダー機構、４０：合焦制御機構、１００：スーパーインポーズ表示装置、１１０：表示板、２００：ＡＦエリア指標、２０１：溝、２０２：反射面、２０３：端面、２１１：中央指標、２１２：中央上側指標、２１３：中央下側指標、２２１Ｌ：中間中央指標、２２２Ｌ：中間上側指標、２２３Ｌ：中間下側指標、２２１Ｒ：中間中央指標、２２２Ｒ：中間上側指標、２２３Ｒ：中間下側指標、１１１：導光レンズ部、１２０：発光装置、１２０Ｘ：Ｘ軸方向ユニット、１２１（ａ〜ｋ）：ＬＥＤ、１２０Ｚ：Ｚ軸方向ユニット
【図１】
0005672817.tif 000002
【図２】
0005672817.tif 000003
【図３】
0005672817.tif 000004
【図４】
0005672817.tif 000005
【図５】
0005672817.tif 000006
【図６】
0005672817.tif 000007
【図７】
0005672817.tif 000008
【図８】
0005672817.tif 000009
【図９】
0005672817.tif 000010